(57)【特許請求の範囲】
【請求項１】
音声情報通信端末に１対１に対応したデータ入力部と、第１のデータ記憶部と、音声復号化器と、演算処理部と、音声符号化器と、第２のデータ記憶部およびデータ出力部とから構成され、前記音声情報通信端末から入力された符号化データを前記第１のデータ記憶部に記憶し、この記憶されている符号化データを前記音声復号化器によって復号化し、これらの復号化データを前記演算処理部によって演算加算し、さらに演算加算された復号化データをそれぞれ符号化し前記データ出力部によって出力され、前記音声復号化器によって復号化されたデータに音声が含まれているかどうかを一つの音声情報通信端末に対して基準クロックにもとづいて判定する音声情報通信システムにおいて、前記データ入力部に入力された符号データに挿入されている符号化方式情報にもとづいて音声情報通信端末からの演算量を演算し、基準クロック毎に演算可能な音声情報通信端末数を一括して処理することを特徴とする音声情報通信システム。
【発明の詳細な説明】
【０００１】
【発明の属する技術分野】
本発明は、複数の音声情報通信端末とそれらを制御する制御装置とから構成され、多機能且つ小型化された音声情報通信システムに関する。
【０００２】
【従来技術】
図４は従来の音声情報通信システムの一例を示す基本的な構成図である。一般に複数の音声情報通信端末４１Ａ〜４１Ｎが接続された多地点制御装置４２から構成される多地点多地点音声情報通信システム４０は、該多地点制御装置４２内に各音声情報通信端末４１Ａ〜４１Ｎにそれぞれに対応する共通の該音声復号器４３を具備している。各該音声情報通信端末４１Ａ〜４１Ｎに接続されたマイクロホン４４から集音された音声信号は各端末でディジタル信号に変換され、符号化されて該多地点制御装置４２に伝送される。各該音声情報通信端末４１Ａ〜４１Ｎから該多地点制御装置４２に伝送されてきた符号化音声は、該多地点制御装置４２内の該音声復号化器４３によってディジタル音声信号に再構築された後、音声合成回路４５によって加算される。この合成音声は音声符号化器４６で符号化された後に各該音声情報通信端末４１Ａ〜４１Ｎへ送出される。該復号化器４３で再構成された音声デ―タは、音声検出回路４７においてそのデ―タが音声か否かを動作クロック毎に毎回、全端末に対して判定処理が施され、状態情報として該多地点制御装置４２内で利用される。
【０００３】
【発明が解決しようとする課題】
しかしながら、上述した従来の音声情報通信システムでは、動作クロック毎に接続された全ての音声情報通信端末に対して、音声の有無を判断しなくてはいけないので、音声検出演算処理に関わる演算が膨大な量となり、多地点制御装置のハ―ドウェアが大型化し、それに関わるコストの増大を招いていた。本発明は上述の点に鑑みてなされたもので、上記問題点を除去し、通話音声の品質を確保し、小型で低コストな多地点音声情報通信システムを提供する事を目的とする。
【０００４】
【課題を解決するための手段】
本発明はこれらの課題を解決するためのものであり、音声情報通信端末に１対１に対応したデータ入力部と、第１のデータ記憶部と、音声復号化器と、演算処理部と、音声符号化器と、第２のデータ記憶部およびデータ出力部とから構成され、前記音声情報通信端末から入力された符号化データを前記第１のデータ記憶部に記憶し、この記憶されている符号化データを前記音声復号化器によって復号化し、これらの復号化データを前記演算処理部によって演算加算し、さらに演算加算された復号化データをそれぞれ符号化し前記データ出力部によって出力され、前記音声復号化器によって復号化されたデータに音声が含まれているかどうかを一つの音声情報通信端末に対して基準クロックにもとづいて判定する音声情報通信システムにおいて、前記データ入力部に入力された符号データに挿入されている符号化方式情報にもとづいて音声情報通信端末からの演算量を演算し、基準クロック毎に演算可能な音声情報通信端末数を一括して処理することを特徴とする音声情報通信システムを提供する。
【０００５】
このように本発明は、上述の構成としたことにより音声検出に関わる演算量を削減し、音声処理を構成するハ―ドウェア小さく構成できるので、音声品質を劣化させないまま低コストで小型な音声情報通信システムを実現出来る。
【０００６】
【発明の実施の形態】
以下、本発明の実施例について図面を用いて説明する。
図１は本発明の第１の高品質音声情報通信システムの基本構成を示すブロック図である。本発明は従来のデ―タ入力部１１Ａ〜１１Ｎ、第１のデ―タ記憶部１２Ａ〜１２Ｎ、音声符号化器１３、音声復号化器１４、音声を合成する演算処理部１５、第２のデ―タデ―タ記憶部１６Ａ〜１６Ｎ、そして、デ―タ出力部１７Ａ〜１７Ｎとから構成された多地点音声情報通信システムに、音声検出演算処理部１８と演算順序指定回路１９を追加した構成となっている。
【０００７】
音声情報通信端末に１対１に対応し、前記音声情報通信端末から所定の符号化方式で伝送された符号化デ―タを入力する該デ―タ入力部１１Ａ〜１１Ｎと、該デ―タ入力部１１Ａ〜１１Ｎに対応し、該符号化デ―タを格納するための第１の該デ―タ記憶部１２Ａ〜１２Ｎと、該第１のデ―タ記憶部１２Ａ〜１２Ｎに格納された各符号化デ―タを復号する該音声復号化器１４と、該音声復号化器１４からの各出力音声デ―タを合成加算する演算処理部１５と、該演算処理部１５の出力を符号化する音声符号化器１３と、該音声符号化器１３からの出力符号化デ―タを格納する該第２のデ―タ記憶部１６Ａ〜１６Ｎと、該第２のデ―タ記憶部１６Ａ〜１６Ｎからの各デ―タを出力する該デ―タ出力部１７Ａ〜１７Ｎとから構成された音声情報通信システム１０において、該音声復号化器１４により復号されたデ―タに音声が含まれるか否かを判定する該音声検出演算処理部１８と、動作クロック毎に演算順序指定回路１９で指定された一つの音声情報通信端末に対して該音声検出演算処理部１８の動作を行わせる事を特徴とした音声情報通信システムである。
【０００８】
図２は本発明の第２の音声情報通信システムの基本構成を示すブロック図である。本発明はデ―タ入力部２１Ａ〜２１Ｎ、第１のデ―タ記憶部２２Ａ〜２２Ｎ、音声符号化器２３Ａ〜２３Ｎ、音声復号化器２４Ａ〜２４Ｎ、音声を合成する演算処理部２５、第２のデ―タデ―タ記憶部２６Ａ〜２６Ｎ、デ―タ出力部２７Ａ〜２７Ｎと、音声符号化方式判定回路２８Ａ〜２８Ｎと、第１の振幅調整回路２９Ａ〜２９Ｎと、そして、第２の振幅調整回路２１０Ａ〜２１０Ｎから構成された従来の多地点音声情報通信システムに、音声検出演算処理部２１１と演算量制御回路２１２とを追加した構成となっている。音声情報通信端末に１対１に対応し、前記音声情報通信端末から所定の符号化方式で伝送された符号化デ―タを入力する該デ―タ入力部２１Ａ〜２１Ｎと、該デ―タ入力部２１Ａ〜２１Ｎに対応し、該符号化デ―タを格納するための第１の該デ―タ記憶部２２Ａ〜２２Ｎと、該デ―タ入力部２１Ａ〜２１Ｎに入力された符号デ―タに挿入された符号化方式情報に基づいて該第１のデ―タ記憶部２２Ａ〜２２Ｎに格納された各符号化デ―タを復号する該音声復号化器２４Ａ〜２４Ｎの復号化方式を決定する為の該音声符号化方式判定回路２８Ａ〜２８Ｎと、該音声復号化器２４Ａ〜２４Ｎからの各出力音声デ―タを合成加算する演算処理部２５と、該音声符号化方式判定回路２８Ａ〜２８Ｎよりの指示により、該演算処理部２５の出力を符号化する音声符号化器２３Ａ〜２３Ｎと、該音声符号化器２３Ａ〜２３Ｎからの出力符号化デ―タを格納する該第２のデ―タ記憶部２６Ａ〜２６Ｎと、該第２のデ―タ記憶部２６Ａ〜２６Ｎからの各デ―タを出力する該デ―タ出力部２７Ａ〜２７Ｎとから構成された音声情報通信システムにおいて、該音声符号化方式判定回路２８Ａ〜２８Ｎにより判定された符号化方式の組合せに対応して動作クロック毎に該音声検出演算処理部２１１の処理端末数を制御する演算量制御回路２１２を具備した事を特徴とした音声情報通信システムである。
【０００９】
図３は本発明の第３の音声情報通信システムの基本構成を示すブロック図である。本発明はデ―タ入力部３１Ａ〜３１Ｎ、第１のデ―タ記憶部３２Ａ〜３２Ｎ、音声符号化器３３Ａ〜３３Ｎ、音声復号化器３４Ａ〜３４Ｎ、音声を合成する演算処理部３５、第２のデ―タデ―タ記憶部３６Ａ〜３６Ｎ、デ―タ出力部３７Ａ〜３７Ｎと、音声符号化方式判定回路３８Ａ〜３８Ｎと、第１の振幅調整回路３９Ａ〜３９Ｎと、第２の振幅調整回路３１０Ａ〜３１０Ｎと、音声検出演算処理部３１１、そして、演算量制御回路３１２から構成された従来の多地点音声情報通信システム３０に有音判定処理回路３１３と利得制御回路３１４とを追加した構成となっている。音声情報通信端末に１対１に対応し、前記音声情報通信端末から所定の符号化方式で伝送された符号化デ―タを入力する該デ―タ入力部３１Ａ〜３１Ｎと、該デ―タ入力部３１Ａ〜３１Ｎに対応し、該符号化デ―タを格納するための第１の該デ―タ記憶部３２Ａ〜３２Ｎと、該デ―タ入力部３１Ａ〜３１Ｎに入力された符号デ―タに挿入された符号化方式情報に基づいて該第１のデ―タ記憶部３２Ａ〜３２Ｎに格納された各符号化デ―タを復号する該音声復号化器３４Ａ〜３４Ｎの復号化方式を決定する為の該音声符号化方式判定回路３８Ａ〜３８Ｎと、該音声符号化方式判定回路３８Ａ〜３８Ｎよりの指示により、該演算処理部３５の出力を符号化する音声符号化器３３Ａ〜３３Ｎと、該音声符号化器３３Ａ〜３３Ｎからの出力符号化デ―タを格納する該第２のデ―タ記憶部３６Ａ〜３６Ｎと、該第２のデ―タ記憶部３６Ａ〜３６Ｎからの各デ―タを出力する該デ―タ出力部３７Ａ〜３７Ｎとから構成された音声情報通信システムにおいて、全ての該音声復号化器３４Ａ〜３４Ｎの出力にたいする該音声検出演算処理部３１１の処理が終了した時点で、音声の有る該音声情報通信端末一つとその他の音声の無い該音声情報通信端末とに選別する該有音判定処理回路３１３と、該有音判定処理回路３１３によって選択された音声の無い該該音声情報通信端末に対して利得制御を行う該利得制御回路３１４を具備した音声情報通信システムである。
【００１０】
ここで指す異なる符号方式は、例えば、Ｉ  ＴＵ―Ｔ勧告に有るＧ．  ７１１、Ｇ．  ７２２、Ｇ．  ７２３．  １、Ｇ．  ７２６、Ｇ．  ７２８、そしてＧ．  ７２９などである。使用されるサンプリング周波数は、Ｇ．  ７２２とＧ．  ７２３．  １を除き、８ＫＨｚサンプリングで処理される。又、この他の国際規格で定められる高能率音声符号化方式であっても構わない。
【００１１】
【発明の効果】
以上のとおり、本発明によれば、下記のような効果が期待される。
【００１２】
（１）第１の発明によれば音声検出に関わる演算処理が動作クロック毎に一端末に対してのみ実行されるので、演算量が大幅に削減され、ＤＳＰ等のハ―ドディバイスへの性能要求が緩和される為、コストダウンが図られる。
【００１３】
（２）第２の発明によれば枝構造の多地点音声情報通信等では、ＤＳＰの許容演算量の範囲内で、最良の処理が実行されるので小型で高性能な音声情報通信が実現出来る。
【００１４】
（３）  第三の発明によれば複数の音声デ―タが合成加算される事による背景雑音の影響を抑制出来、明瞭で高品質な音声情報通信システムが提供出来る。
【図面の簡単な説明】
【図１】本発明による第１の音声情報通信システムの構成例を示すブロック図である。
【図２】本発明による第２の音声情報通信システムの構成例を示すブロック図である。
【図３】本発明による第２の音声情報通信システムの構成例を示すブロック図である。
【図４】従来技術による音声情報通信システムの基本構成例を示すブロック図である。
【符号の説明】
１０                                                    音声情報通信システム
１１Ａ〜１１Ｎ                                デ―タ入力部
１２Ａ〜１２Ｎ                                第１のデ―タ記憶部
１３                                                    音声符号化器
１４                                                    音声復号化器
１５                                                    音声を合成する演算処理部
１６Ａ〜１６Ｎ                                デ―タデ―タ記憶部
１７Ａ〜１７Ｎ                                デ―タ出力部
１８                                                    音声検出演算処理部
１９                                                    演算順序指定回路
２０                                                    音声情報通信システム
２１Ａ〜２１Ｎ                                デ―タ入力部
２２Ａ〜２２Ｎ                                第１のデ―タ記憶部
２３Ａ〜２３Ｎ                                音声符号化器
２４Ａ〜２４Ｎ                                音声復号化器
２５                                                    音声を合成する演算処理部
２６Ａ〜２６Ｎ                                第２のデ―タデ―タ記憶部
２７Ａ〜２７Ｎ                                デ―タ出力部
２８Ａ〜２８Ｎ                                音声符号化方式判定回路
２９Ａ〜２９Ｎ                                第１の振幅調整回路
２１０Ａ〜２１０Ｎ                        第２の振幅調整回路
２１１                                                音声検出演算処理部
２１２                                                演算量制御回路
３０                                                    音声情報通信システム
３１Ａ〜３１Ｎ                                デ―タ入力部
３２Ａ〜３２Ｎ                                第１のデ―タ記憶部
３３Ａ〜３３Ｎ                                音声符号化器
３４Ａ〜３４Ｎ                                音声復号化器
３５                                                    音声を合成する演算処理部
３６Ａ〜３６Ｎ                                第２のデ―タデ―タ記憶部
３７Ａ〜３７Ｎ                                デ―タ出力部
３８Ａ〜３８Ｎ                                音声符号化方式判定回路
３９Ａ〜３９Ｎ                                第１の振幅調整回路
３１０Ａ〜３１０Ｎ                        第２の振幅調整回路
３１１                                                音声検出演算処理部
３１２                                                演算量制御回路
３１３                                                有音判定処理回路
３１４                                                利得制御回路
４０                                                    多地点多地点音声情報通信システム
４１Ａ〜４１Ｎ                                音声情報通信端末
４２                                                    多地点制御装置
４３                                                    音声復号化器
４４                                                    マイクロホン
４５                                                    音声合成回路
４６                                                    音声符号化器
４７                                                    音声検出回路
【図１】
0003600707.tif 000002
【図２】
0003600707.tif 000003
【図３】
0003600707.tif 000004
【図４】
0003600707.tif 000005